(57)【要約】 【課題】  布地を張力付与手段で一定の張力に張っった状態で、筆跡をこすって消去したときに、布地はずれることがなく、従来よりも簡単に筆跡を消去できるようにする。【解決手段】  上方を開放した箱形状の内側ケース本体３と、この内側ケース本体３に着脱可能な下方を開放した箱形状の外側ケース本体５と、拭き取り体となる適宜な大きさの布地７と、前記内側ケース本体３における底面３Ｄ、左右の側面３Ｌ、３Ｒの外表面を覆った前記布地７の両端を前記内側ケース本体３内に収めて前記布地７に張力を与えて保持すべく、前記内側ケース本体３と外側ケース本体５とに有した張力付与手段９と、を備えていることを特徴とする。【選択図】図１
2008055835.tif 000002
【特許請求の範囲】
【請求項１】
上方を開放した箱形状の内側ケース本体と、
この内側ケース本体に着脱可能な下方を開放した箱形状の外側ケース本体と、
拭き取り体となる適宜な大きさの布地と、
前記内側ケース本体における底面、前、後面の外表面を覆った前記布地の両端を前記内側ケース本体内に収めて前記布地に張力を与えて把持すべく、前記内側ケース本体と外側ケース本体とに有した張力付与手段と、
を備えていることを特徴とするイレーザー。
【請求項２】
前記内側ケース本体と外側ケース本体とがそれぞれ生分解性プラスチックで形成されていることを特徴とする請求項１記載のイレーザー。
【請求項３】
前記張力付与手段が、前記内側ケース本体内に平面視にて左右方向へ形成された前後２本の溝と、前記外側ケース本体内の前記溝の位置に対応した位置に形成され、高さ方向へ突出した突出片と、で構成されていることを特徴とする請求項１または２記載のイレーザー。
【請求項４】
前記張力付与手段が、前記布地における前後側両端に形成された複数の切り欠き部と、この各切り欠き部を引っかけるために前記内側ケース本体の前後両側に前記各切り欠き部に対応した位置の上方へ突出した引っかけ部材と、で構成されていることを特徴とする請求項１または２記載のイレーザー。
【請求項５】
前記内側ケース本体における底面に磁石を備えていることを特徴とする請求項１、２、３または４記載のイレーザー。
【発明の詳細な説明】
【技術分野】
【０００１】
この発明は、例えばインキ不浸透性の筆記面を有する特にホワイトボードなどの筆記板にマーキングペンで筆記された文字および図形等である筆跡を消去するイレーザーに関する。
【背景技術】
【０００２】
従来、例えばインキ不浸透性の筆記面を有する特にホワイトボードなどの筆記板にマーキングペンで筆記された文字および図形等である筆跡を消去するイレーザーとしては、例えば特許文献１などで知られているように、固定部材としてのケース内にパッドが収容され、そのパッドの上に消去用部材としての外部に通じた孔を有する発泡体が接着剤などで固定されたものがある。
【０００３】
また、他のイレーザーとしては、例えば特許文献２などで知られているように、洗浄可能なように拭き取り部材が箱型に縫製され、把持部材には嵌の込む構造をしたものがある。
【０００４】
さらに、別のイレーザーとしては、例えば特許文献３などで知られているように、手持ち式のイレーザーボディーと、着色部のインクを拭き取るための消去用シートとを有し、この消去用シートが前記イレーザーボディーに対して着脱可能にしたものがある。
【特許文献１】特開２００３−２１１８９５号公報
【特許文献２】特開２００３−１９８９８号公報
【特許文献３】特開平１１−１７０７７８号公報
【発明の開示】
【発明が解決しようとする課題】
【０００５】
ところで、上述した従来の特許文献１などで知られているイレーザーでは、長時間の使用により何回も筆跡の消去を行って消去用部材としての発泡体が汚れたときには、その拭き取り消去性能が劣化し、そのために拭き取りの際に紛状となったインクが発泡体に付着されず、手や衣服のそで口を汚す原因となる問題点を有している。また、交換持にはケース内から発泡体が接着剤などで固定されたパッドが外されて新しいものと交換される。この場合には発泡体とパッドとが同時に交換されるため、消耗品のコストが余分にかかるという問題がある。
【０００６】
また、従来の特許文献２、３などで知られているイレーザーでも、同様に長時間の使用により何回も筆跡の消去を行って拭き取り部材や消去用シートが汚れたときには、その拭き取り消去性能が劣化し、そのために拭き取りの際に紛状となったインクが発泡体に付着されず、手や衣服のそで口を汚す原因となる問題点を有している。また、交換持には拭き取り部材や消去用シートをそれぞれ把持部材やイレーザーボディーから交換して新たなものと交換していた。この場合には、いずれも拭き取り部材や消去用シートは使い捨てとなっおり、消耗品として扱われ、消耗品代がかかるという問題がある。
【０００７】
さらに、これらの拭き取り部材や消去用シートは把持部材やイレーザーボディーに取り付けるのにただ単に取り付けられているため、拭き取り部材や消去用シートの拭き取り面が常に一定の張力がかかっているとは限らず、不安定のものであって、ずれてしまうという問題がある。
【０００８】
この発明は上述の課題を解決するためになされたものである。
【課題を解決するための手段】
【０００９】
上記発明が解決しようとする課題を達成するためにこの発明のイレーザーは、上方を開放した箱形状の内側ケース本体と、この内側ケース本体に着脱可能な下方を開放した箱形状の外側ケース本体と、拭き取り体となる適宜な大きさの布地と、前記内側ケース本体における底面、前、後面の外表面を覆った前記布地の両端を前記内側ケース本体内に収めて前記布地に張力を与えて把持すべく、前記内側ケース本体と外側ケース本体とに有した張力付与手段と、を備えていることを特徴とするものである。
【００１０】
この発明のイレーザーは、前記イレーザーにおいて、前記内側ケース本体と外側ケース本体とがそれぞれ生分解性プラスチックで形成されていることが好ましい。
【００１１】
この発明のイレーザーは、前記イレーザーにおいて、前記張力付与手段が、前記内側ケース本体内に平面視にて左右方向へ形成された前後２本の溝と、前記外側ケース本体内の前記溝の位置に対応した位置に形成され、高さ方向へ突出した突出片と、で構成されていることが好ましい。
【００１２】
この発明のイレーザーは、前記イレーザーにおいて、前記張力付与手段が、前記布地における前後側両端に形成された複数の切り欠き部と、この各切り欠き部を引っかけるために前記内側ケース本体の前後両側に前記複数の各切り欠き部に対応した位置の上方へ突出した引っかけ部材と、で構成されていることが好ましい。
【００１３】
この発明のイレーザーは、前記イレーザーにおいて、前記内側ケース本体における底面の一部に磁石を備えていることが好ましい。
【発明の効果】
【００１４】
以上のごとき課題を解決するための手段の説明から理解されるように、この発明によれば、内側ケース本体における底面、前、後面の外表面を、拭き取り体となる適宜な大きさの布地で覆い、この布地の両端を前記内側ケース本体内に収める。この状態で前記内側ケース本体と外側ケース本体とに有した張力付与手段で、前記布地に張力を与えて把持して、内側ケース本体に外側ケース本体がはめこまれてセットされる。
【００１５】
この状態で、作業者が手で外側ケース本体を持ち、例えばホワイトボードなどの筆記板のインキ不浸透性の筆記面にマーキングペンで筆記された文字および図形等である筆跡を前記布地で容易に消去することができる。
【００１６】
前記布地は、張力付与手段で一定の張力に張られているから、筆跡をこすって消去したときに、布地はずれることがなく、従来よりも簡単に筆跡を消去することができる。
【００１７】
また、長時間の使用により何回も筆跡の消去を行って消去用部材としての布地が汚れて拭き取り消去性能が劣化してきたときには、外側ケース本体を内側ケース本体から外すことで、容易に布地を取り外すことができ、予め準備しておいた新しいの布地に容易に交換することができる。汚れた布地は、その間に洗濯することが可能で再度使用することができる。
【発明を実施するための最良の形態】
【００１８】
以下、この発明の実施の形態について図面を参照して詳細に説明する。
【００１９】
図１を参照するに、イレーザー１は、上方を開放した箱形状の内側ケース本体３と、この内側ケース本体３に着脱可能な下方を開放した箱形状の外側ケース本体５と、拭き取り体となる適宜な大きさの布地７とで構成されている。前記内側ケース本体３は、図２および図４を併せて参照するに、前面部３Ｆ、後面部３Ｂ、左面部３Ｌ、右面部３Ｒ及び底面部３Ｄを一体化し、しかも、上方部を開放した箱形状を呈している。前記外側ケース本体５は、同様に図２および図４を併せて参照するに、前面部５Ｆ、後面部５Ｂ、左面部５Ｌ、右面部５Ｒ及び上面部５Ｕを一体化し、しかも、下方部を開放した箱形状を呈している。
【００２０】
前記内側ケース本体３および外側ケース本体５は、プラスチックからなっており、特に、生分解性プラスチックからなっている。この生分解性プラスチックは、使用状態では従来のプラスチックと同等の機能を有し、使用後廃棄されたときは土中または海水中などの微生物により分解され、最終的に水と二酸化炭素になる性質を有しているものである。したがって、このイレーザー１が使用されなくなったときには廃棄物とならずリサイクルされ再使用される。
【００２１】
また、前記内側ケース本体３における底面部３Ｄ、左右の側面部３Ｌ、３Ｒの外表面を覆った前記布地７の両端を前記内側ケース本体３内に収めて前記布地７に一定の張力を与えて把持すべく、前記内側ケース本体３と外側ケース本体５とに張力付与手段９を備えている。
【００２２】
この張力付与手段９の一例としては、図１および図４に示されているように、前記内側ケース本体３における底面部３Ｄ上において、前後にそれぞれ左右方向へ延伸された２本の支持プレート１１Ａ、１１Ｂ：１３Ａ、１３Ｂが立設されており、しかも、前記支持プレート１１Ａ、１１Ｂ：１３Ａ、１３Ｂの左右部は、前記側面部３Ｌ、３Ｒの内表面に一体化されている。前記支持プレート１１Ａと支持プレート１１Ｂとの間には適宜な幅の溝１１Ｖが形成されている。同様に、前記支持プレート１３Ａと支持プレート１３Ｂとの間には適宜な幅の溝１３Ｖが形成されている。
【００２３】
前記外側ケース本体５における上面部３Ｄにおいて、図１および図４に示されているように、前記内側ケース本体３に形成されている溝１１Ｖ、１３Ｖに対応した位置には、下方へ延伸された突出片１５Ａ、１５Ｂが一体化されていて、しかも、この突出片１５Ａ、１５Ｂの先端部（下端部）は前記前面部５Ｆ、後面部５Ｂの先端部（下端部）より下方へ突出されている。突出片１５Ａ、１５Ｂの厚さは、前記溝１１Ｖ、１３Ｖの幅より狭くなっており、突出片１５Ａ、１５Ｂがそれぞれ前記溝１１Ｖ、１３Ｖ内に入り込むようになっている。
【００２４】
前記内側ケース本体３に対して、前記外側ケース本体５が着脱可能に設けられている。この一例としては、図１および図２に示されているように、前記内側ケース本体３の左右の側面部３Ｌ、３Ｒの外表面における前後のほぼ中央上面部には係合爪１７Ｌ、１７Ｒがそれぞれ外側へ向けて設けられている。この係合爪１７Ｌ、１７Ｒの前後の左右の側面部３Ｌ、３Ｒには上下方向へスリット１９が形成されている。一方、前記外側ケース本体５の側面部５Ｌ、５Ｒの外表面における前後のほぼ中央部には前記係合爪１７Ｌ、１７Ｒが係合されるための係合孔２１Ｒ、２１Ｌが形成されている。
【００２５】
前記内側ケース本体３の底面部には複数の磁石２３が埋め込まれていて、この磁石２３の作用によりイレーザー１が使用されていないときには例えば磁性体からなるホワイドボード等にイレーザー１が固定されるようになる。
【００２６】
前記拭き取り体となる適宜な大きさの布地７としては、例えばタオル地、ニット地、織り地、不織布、フエルト地などが用いられる。特に、コール天地のような表面に凹凸があるものが適している。
【００２７】
上記構成により、図１、図２および図４に示されているように、前記布地７を前記内側ケース本体３の底面部３Ｄ、前、後面部３Ｆ、３Ｂを覆い、前記布地７の例えば左側を前面部３Ｆの上面部部分で折り曲げて布地７の左端を図１示されているように開放部分に垂らす。ついで、同様に、前記布地７の例えば右側を後面部３Ｂの上面部部分で折り曲げて布地７の右端を開放部分に垂らすと、図４に示されているような状態となる。
【００２８】
つぎに、図２、図４の状態から図３、図５に示されているように、前記外側ケース本体５を前記内側ケース本体３に向けて下げて、突出片１５Ａ、１５Ｂをそれぞれ前記溝１１Ｖ、１３Ｖ内に入り込ませ、さらに、図３に示されているように、前記係合爪１７Ｌ、１７Ｒをそれぞれ係合孔２１Ｒ、２１Ｌに係合させると、前記外側ケース本体５が図６に示されているように、前記内側ケース本体３に係合されて使用状態となる。
【００２９】
この図６に示されている状態のイレーザー１を例えば右手でもって、インキ不浸透性の筆記面を有する特にホワイトボードなどの筆記板に、マーキングペンで筆記された文字および図形等である筆跡を布地７の表面で容易に確実に消去することができる。
【００３０】
特に図５に示されているように、突出片１５Ａ、１５Ｂをそれぞれ前記溝１１Ｖ、１３Ｖ内に入り込ませると、前記突出片１５Ａ、１５Ｂの先端部（下端部）が前記溝１１Ｖ、１３Ｖ内で布地５が前記溝１１Ｖ、１３Ｖ内に押し込まれて布地５を把持すると共に一定の張力を付与せしめることができ、底面部３Ｄを覆っている布地７が適度に張られた状態になるので、文字および図形等である筆跡を拭いたときには、布地７はずれることなく、従来よりも簡単に筆跡を消去することができる。
【００３１】
また、長時間の使用により何回も筆跡の消去を行って消去用部材としての布地７が汚れて拭き取り消去性能が劣化してきたときには、外側ケース本体５を内側ケース本体３から外すこと、すなわち、係合孔２１Ｌ、２１Ｒから係合爪１７Ｌ、１７Ｒを外すことで、容易に布地７を取り外すことができ、予め準備しておいた新しい布地７に容易に交換することができる。汚れた布地７は、その間に洗濯することが可能で再度使用することができる。
【００３２】
イレーザー１が使用されていないときには例えば磁性体からなるホワイドボード等にイレーザー１における内側ケース本体３の底面部３Ｄに埋め込まれている複数の磁石２３によりレーザー１が固定されて容易に保管することができる。また、イレーザー１における内側ケース本体３、外側ケース本体５が壊れて使用できなくなった場合には、前記内側ケース本体３および外側ケース本体５が生分解性プラスチックからなっているので、土中または海水中などの微生物により分解され、最終的に水と二酸化炭素になる性質を有しているものであるから、廃棄物とならずリサイクルされ再使用することができる。
【００３３】
図７、図８および図９には、図１〜図６に示されたイレーザー１に代わる他の実施形態のイレーザー２５が示されている。図７、図８および図９において、図１〜図６における符号と同一の符号には同じ符号を符して重複する説明を省略する。
【００３４】
図７、図８および図９において、イレーザー２５が前記イレーザー１と異なる点は、張力付与手段９が異なり、他の構成は同じである。すなわち、この張力付与手段９としては、図７、図８に示されているように、内側ケース本体３の前後面部３Ｆ、３Ｂの左右方向には適宜な間隔で例えば３つの引っかけ部材２７が上方向へ突出されて一体化されている。一方、この各引っかけ部材２７に対応して前記布地７の前後には図９に示されているように、切り欠き部７Ａが形成されている。
【００３５】
上記構成により、例えば図８および図１０（Ａ）、（Ｂ）に示されているように、布地７を内側ケース本体３の底面部３Ｄ、前、後面部３Ｆ、３Ｂを覆い、前記布地７の例えば左側を前面部３Ｆの上面部部分で折り曲げて布地７の前側における各切り欠き部７Ａを、内側ケース本体３の前部の引っかけ部材２７に引っかける。ついで、前記布地７の例えば右側を後面部３Ｂの上面部部分で折り曲げて布地７の後側における各切り欠き部７Ａを、内側ケース本体３の後部の引っかけ部材２７に引っかけることで、布地７が内側ケース本体３の底面部３Ｄの表面で一定の張力を付与せしめることができ、底面部３Ｄを覆っている布地７が適度に張られた状態になるので、文字および図形等である筆跡を拭いたときには、布地７はずれることなく、従来よりも簡単に筆跡を消去することができる。
【００３６】
前記イレーザー２５のその他の構成、効果は、前記イレーザー１の構成、効果と同じであるので、詳細は上述してあるから、省略する。
【００３７】
なお、この発明は前述した実施の形態に限定されることなく、適宜な変更を行うことによりその他の態様で実施し得るものである。
【図面の簡単な説明】
【００３８】
【図１】この発明のイレーザーの内側ケース本体、上側ケース本体および布地を示した分解斜視図である。
【図２】この発明のイレーザーの内側ケース本体、上側ケース本体の各々の正面断面図である。
【図３】この発明のイレーザーの内側ケース本体に上側ケース本体を着脱せしめた正面断面図である。
【図４】この発明のイレーザーの内側ケース本体、上側ケース本体の各々の側面断面図である。
【図５】この発明のイレーザーの内側ケース本体に上側ケース本体を着脱せしめた側面断面図である。
【図６】この発明のイレーザーのを示した斜視図である。
【図７】この発明の他の例のイレーザーの内側ケース本体に上側ケース本体を着脱せしめた正面断面図である。
【図８】この発明の他の例のイレーザーの内側ケース本体に上側ケース本体を着脱せしめた側面断面図である。
【図９】この発明の他の例のイレーザーに使用する布地の斜視図である。
【図１０】（Ａ）、（Ｂ）は布地の各切り欠き部を内側ケース本体に設けた引っかけ部材に引っかける状態を示した図である。
【符号の説明】
【００３９】
１  イレーザー
３  内側ケース本体
３Ｆ  前面部
３Ｂ  後面部
３Ｌ  左面部
３Ｒ  右面部
３Ｄ  底面部
５  外側ケース本体
５Ｆ  前面部
５Ｂ  後面部
５Ｌ  左面部
５Ｒ  右面部
５Ｕ  上面部
７  布地
７Ａ  切り欠き部
９  張力付与手段
１１Ａ、１１Ｂ  支持プレート
１３Ａ、１３Ｂ  支持プレート
１５Ａ、１５Ｂ  突出片
１７Ｌ、１７Ｒ  係合爪
１９  スリット
２１Ｌ、２１Ｒ  係合孔
２３  磁石
２５  イレーザー
２７  引っかけ部材
【図１】
2008055835.tif 000003
【図２】
2008055835.tif 000004
【図３】
2008055835.tif 000005
【図４】
2008055835.tif 000006
【図５】
2008055835.tif 000007
【図６】
2008055835.tif 000008
【図７】
2008055835.tif 000009
【図８】
2008055835.tif 000010
【図９】
2008055835.tif 000011
【図１０】
2008055835.tif 000012